(57)【要約】［課題］今日、テレビ受信機は大画面化して大型になっている。大体、画面の対角線の長さとブラウン管の奥行きの深さは同じくらいである。両者は２５型では６１センチくらい、３２型では７８センチくらいである。この奥行きを各型とも出来ることなら半分くらいにしたい。［解決手段］テレビ受信機のカラーブラウン管において、偏向コイルとシャドーマスクの外側との間に何段階かに永久磁石か或いはソレノイドコイルかの凹レンズ型電子レンズを管の外側に設けて、走査電子ビームを発散させるようにして、電子銃とシャドーマスクとの間隔を短くしえて、カラーブラウン管全体を詰めて薄型にするようにした、薄型カラーブラウン管。【選択図】図１
2004103540.tif 000002
【特許請求の範囲】
【請求項１】
テレビ受信機のカラーブラウン管において、偏向コイルとシャドーマスクの外側との間に何段階かに永久磁石か或いはソレノイドコイルかの凹レンズ型電子レンズを管の外側に設けて、走査電子ビームを発散させるようにして、電子銃とシャドーマスクとの間隔を短くしえて、カラーブラウン管全体を詰めて薄型にするようにした、薄型カラーブラウン管。
【発明の詳細な説明】
［発明の属する技術分野］
テレビ受信機のカラーブラウン管に関する発明である。
［従来の技術］
今日、テレビ受信機は大画面化して大型になっている。大体、画面の対角線の長さとブラウン管の奥行きの深さとが同じくらいである。すなわち２５型では対角線と奥行きの長さが６１センチくらいであり、３２型ではそれらが７８センチくらいである。
［発明が解決しようとする課題］
この深い奥行きを出来ることなら各型とも半分くらいにしたい。
［課題を解決するための手段］
薄くする即ち電子銃とシャドーマスクとの間隔を詰めようとすると、例え電子ビームの偏向をぐんと効かすことが出来るとしても、画面の球面を今よりずっときつくする必要があり、視れる画面ではなくなる。また偏向を効かさなければ、画面の中央部に当るだけで、画面一杯に電子ビームは広がらなくなる。そこでこの場合の電子ビームを外に向かって広げる即ち発散させる必要が生じる。
光の場合で見てみると、一点の光源から光を発散させるには凹レンズを用いればよい。電子ビームに対してそれと同じ作用をするものは電子レンズと呼ばれる磁界である。それは永久磁石かソレノイドコイルで以て発生させる。
この電子レンズは一枚では十分ではあるまいから、何段階かに数枚設ける必要があると思われる。
［発明の実施の形態］
その本発明の実施形態は「特許請求の範囲」に簡潔に述記してある。
［発明の効果］
ブラウン管を詰めてテレビ受信機を薄くすることは、テレビジョンの発明以来多くの研究者の夢であった。しかし今日までその方法を誰も発想しえず、その夢は液晶テレビとかプラズマテレビに移っている。しかしこれらは発光体を電子ビームで走査して発行させるのとは異なり、その一つ一つに連なるように配線して行かなくてはならず、これが大変なコストを食う。どうしても一般家庭に向くように安くは製れない。
それに引き換え、ブラウン管はどんどん製造コストが下がり、大変安くなっている。本発明のようにすれば、可なり高くなると思われるが、薄型テレビは開発者の夢であると同時にユーザーにとっても夢である。少々の負担増には耐えて貰えると信じている。
今日、レンタルビデオ店は廃業するところが目立つようになっている。ＣＤやビデオやＤＶＤはどう考えてみても真面な記録媒体システムではなく、媒体は視聴料金を徴収するための手段にしか過ぎず、コンテンツは電波でプレーヤーに送られているのではないかと思わざるを得ない。
そこで、私はこれらに代えてサーキットテレビやサーキットレコードと言う（電話）回線を使用して直接家庭に映像番組を番組毎有料で亦歌謡曲などを一曲づつ有料で配信することを発案して特許出願しているが、これが現在普及している１億台以上の電波テレビと並んで矢張り１億台以上普及して行くだろうと思っている。このサーキットテレビには是非本発明を使用したいと思っている。
現在、地上波テレビをデジタル化し、現行のアナログを何年か後には廃止すると言う動きが喧伝されている。しかし私は根本的にデジタル技術は無理があり、矢鱈記号量を増やすだけであって上手く行くものではないと思っている。デジタル画面一つを取ってみても、それはコンビューターグラフィックスのように顔なら顔が複雑に色彩的にも濃淡的にも変化がなく、単彩的に単調的になってしまうので、画面が高度化したと受け入れられるものではないと思う。
この動きを支えている最大の根拠は、チャンネルが一杯で、例えばＮＨＫ広島が難視聴地域を解消するためにもっとそれら地域に送信所を増やそうとしても、その送信所はそれぞれ独立に固有の周波数を割り当てなくてはならないので、現状では割り当てるチャンネルがなく、不可能だと言うところにあるらしい。どうしてもデジタル化して現在のＶＨＦならＶＨＦの周波数帯の中にチャンネル数を増やしたいと言うのであろう。
そこで、私は考えてみたのであるが、アナログでの今のチヤンネル制にもっと深く立ち入ってみる必要があるのではなかろうか。例えばＮＨＫ広島は担当エリアに多数の独立周波数の送信所を持っている。これを総合は総合で亦教育は教育で全て同一の周波数で送信所を十分に増やして各送信所一斉に送信したらどうであろうか。１９２６（大正１５）年ＮＨＫが開局して以来今日までそういうことは出来ないと決めて係ってきた。本当にそうであろうか。「ＣＤプレーヤ入門（コロナ社）」によると、１９６５年から何年間か、ＮＨＫのＦＭ放送の大部分は、東京や大阪などで制作された、３８センチ２トラックのマスターテープから１９．５センチ２トラックのテープに複製し、八つの地方基幹局に空輸して同時放送をしていた、とある。このように伝送回線の発達していなかった時代には私の提案は全く無意味に違いない。しかし今日では各送信所に十分に伝送回線を張られる。
伝送電流は、光と同じく、１秒間に３０万キロの速さで流れる。今５０キロ先までは１０万分の１７秒で到達する。従って時間のずれは０．０００１７秒である。送信所を２キロおきに造るとすると、隣同士の時間のずれは１００万分の４秒である。　そして、今ある送信所から３００メーターのところにある受信機に２キロ間隔の隣の送信所から２３００メーターの遠さで混信してくる電波の強さは１／２３００２に弱る。当該送信所からの電波の強さは１／３００２であるから、混信電波の強さは受信電波の強さの１／２３００２÷１／３００２＝９／１０００である。
即ち、受信機のブラウン管の画面の一つのドット毎に１００万分の４秒のずれで１０００分の９の強さで隣の送信所の同時放送が入ってくることになる。気持ちだけ色が滲むとは思えるが、実用上問題はなかろうと思える。
ラジオでは相当の周波数間隔があっても一般の受信機ではよく混信する。本提案においてもラジオのように混信が酷くなるかに思えるが、よく考えてみると、そうではないことが判る。即ち音声は光と違って複数の音声が同時に聞き分けられるように入ってくる。歌う声、オーケストラの複数の楽器の音が混じることなく別々に聞き分けられるように入ってくる。ここに音楽の最大周波数は４０００ヘルツであるだけでありながら、３兆７５００億ヘルツの光に比べて、記録を問わなければ、劣らない難しさがある。詰まり一つの光は独占的で他の光を陰にするが、音にはそういうことはないからである。
今受信しているのはＡの声とピアノとバイオリンの音としよう。混信してくるのはＢの声と電気ギターとシンセサイザーの音とすると、ラジオではその一つ一つが混じることなく聞き分けられる。従ってラジオでは余程高級機を普及させるか、周波数間隔を十分取るかしないと、実用にならない。
しかし、本提案の音の場合には上に記した微かなずれと強さで、全く同一のＡの声とピアノとバイオリンの音が混信してくるわけであるから、微かに音声は滲むとしても耳には感じ取ることの出来ない程のものではなかろうか。
勿論、本提案は、中波放送には無理かも知れないが、ＦＭ放送には十分適している。
本提案はＮＨＫに案内して早急に十分研究して貰おうと思っている。
本発明を用いるテレビ受信機も本提案の送信方法も、世の中が平和に落ち着いて、お互いに他人の生命、身体および財産を犯さないと言う生活態度にならないと、今日と明日を支える文化手段とはなりえない。
放送文化に携わる者が先ず率先して世の中の安定化に努力してみる必要があろう。現在のＮＨＫと民放にはその努力が足りず、一昔前に比べれば、社会に対する影響力と国民からの期待は明らかに低落している。日本の明日を創造するの気概をもう一度取り戻して貰いたい。
【図面の簡単な説明】
【図１】本発明の簡単な側面図である。
【図１】
2004103540.tif 000003